(57)【要約】【課題】操作レバーの設計上の制約を緩和することができ、ユニット交換の際に外観が変化しない、排水弁駆動ユニットを提供する。【解決手段】本実施形態の排水弁駆動ユニット１０は、水洗便器へ供給するための洗浄水Ｗを貯留する貯水タンク１１に設置され、貯水タンク１１内に設けられた排水弁１２を開放するための作動軸１３と、後述する駆動軸１４および増速機構１５などを介して作動軸１３を回転駆動するため貯水タンク１１の側面に設けられた操作レバー１６と、を備えている。この排水弁駆動ユニット１０には、貯水タンク１１の壁体１１ａに開設された取付孔１１ｂに操作レバー１６を回転可能に保持した状態で取り付けられた操作ユニット１０Ｘと、操作レバー１６と連動する作動軸１３を有し貯水タンク１１内において操作ユニット１０Ｘに着脱可能に連結された作動ユニット１０Ｙと、が設けられている。【選択図】図１
2007120260.tif 000002
【特許請求の範囲】
【請求項１】
水洗便器へ供給するための洗浄水を貯留する貯水タンクに設置され、前記貯水タンク内に設けられた排水弁を開放するための作動軸と、前記作動軸を回転駆動するため前記貯水タンクの外面に配置された操作レバーと、を備えた排水弁駆動ユニットにおいて、
前記貯水タンクの壁体に開設された取付孔に前記操作レバーを回転可能に保持した状態で取り付けられた操作ユニットと、前記操作レバーと連動する前記作動軸を有し前記貯水タンク内において前記操作ユニットに着脱可能に連結された作動ユニットと、を設けたことを特徴とする排水弁駆動ユニット。
【請求項２】
前記操作ユニットが、前記貯水タンク外側から前記取付孔に挿入され先端部を貯水タンク内へ突出した状態で配置されたフランジ付きのブッシュと、前記フランジとの間に前記壁体を挟持するため前記ブッシュの外周に形成された雄ねじ部に螺合されたナットと、その軸部を前記ブッシュ内に挿入した状態で前記フランジ側に配置された操作レバーと、を備えたことを特徴とする請求項１記載の排水弁駆動ユニット。
【請求項３】
前記作動ユニットが、前記作動軸を前記操作レバーに連動させるための駆動軸と、前記駆動軸を包囲する軸受け部と、前記ブッシュ外周の雄ネジ部に螺合することにより前記軸受け部を前記ブッシュに連結するため前記軸受け部に回転可能に環装された袋ナットと、前記軸受け部からの前記袋ナットの脱落を防止するための袋ナット脱落防止部材と、を備えたことを特徴とする請求項２記載の排水弁駆動ユニット。
【請求項４】
前記袋ナット脱落防止部材が、前記袋ナットの内側に係合し且つ前記軸受け部に対して回転不能に係止されるストッパと、前記ストッパの脱落を防止し且つ前記軸受け部と螺合可能な止めナットと、を備えたことを特徴とする請求項３記載の排水弁駆動ユニット。
【請求項５】
前記操作レバーの回転操作によって前記作動ユニットに加わる回転反力を前記ブッシュに伝達するため、前記軸受け部と前記ブッシュとを係合する係合手段を設けたことを特徴とする請求項２〜４のいずれかに記載の排水弁駆動ユニット。
【請求項６】
前記操作レバーの回転角度を一定角度に設定するための規制手段を前記操作レバーと前記ブッシュとの間に着脱可能に設けたことを特徴とする請求項２〜５のいずれかに記載の排水弁駆動ユニット。
【発明の詳細な説明】
【技術分野】
【０００１】
本発明は、水洗トイレ内に配置された貯水タンク内の洗浄水を手動操作または自動操作により水洗便器へ供給する機能を有する排水弁駆動ユニットに関する。
【背景技術】
【０００２】
従来、水洗トイレには、水洗便器と、この水洗便器へ供給するための洗浄水を貯留する貯水タンクとが配置されている。そして、貯水タンクに設けられた操作レバーを手動操作によって所定角度回転させると、貯水タンク内の排水弁が開いて、タンク内の洗浄水が水洗便器内へ供給されるようになっている。操作レバーの位置は特に決まっていないので、貯水タンクの正面に配置されたもの、あるいは貯水タンクの側面に配置されたものなどがある（例えば、特許文献１参照。）。また、トイレ使用者が水洗便器から離れたり、所定のボタン操作をしたりすると、操作レバーが自動的に操作されるものもある（例えば、特許文献２参照。）。
【０００３】
【特許文献１】特開平７−３２４３６２号公報
【特許文献２】特開２００５−３６６３４号公報
【発明の開示】
【発明が解決しようとする課題】
【０００４】
特許文献１，２に記載された排水弁駆動ユニットにおいては、操作レバーの回転操作によって回転する駆動軸が、貯水タンクの壁体に開設された取付孔に取り付けられ、その先端部は貯水タンク外面に突出している。このため、駆動軸に係止される操作レバーの回転中心部分は大径にならざるを得ず、設計上の制約となっている（特許文献１の図１、特許文献２の図１７参照。）。
【０００５】
また、特許文献１，２に記載された排水弁駆動ユニットは、操作レバーの回転力を駆動軸を経て作動軸に伝達するまで機構が一体化された構造であるため、手動式の排水弁ユニットと電動式の排水弁ユニットとの間で交換を行う場合、操作レバー部分を含むユニット全体を交換しなければならない。このため、操作レバー部分の外観が大きく変化し、違和感が生じることがある。
【０００６】
本発明が解決しようとする課題は、操作レバーの設計上の制約を緩和することができ、ユニット交換の際に外観が変化しない、排水弁駆動ユニットを提供することにある。
【課題を解決するための手段】
【０００７】
本発明の排水弁駆動ユニットは、水洗便器へ供給するための洗浄水を貯留する貯水タンクに設置され、前記貯水タンク内に設けられた排水弁を開放するための作動軸と、前記作動軸を回転駆動するため前記貯水タンクの外面に配置された操作レバーと、を備えた排水弁駆動ユニットにおいて、
前記貯水タンクの壁体に開設された取付孔に前記操作レバーを回転可能に保持した状態で取り付けられた操作ユニットと、前記操作レバーと連動する前記作動軸を有し前記貯水タンク内において前記操作ユニットに着脱可能に連結された作動ユニットと、を設けたことを特徴とする。
【０００８】
このような構成とすれば、貯水タンクの壁体の取付孔に取り付けられた操作ユニットと、貯水タンク内において前記操作ユニットに取り付けられた作動ユニットとによって構成された排水弁駆動ユニットとなる。このため、操作ユニットは操作レバーを回転可能に保持できれば良いものとなり、操作レバーの設計上の制約を緩和することができる。また、手動式の作動ユニットと電動式の作動ユニットとの間で交換を行う場合、操作ユニットはそのままで、作動ユニットのみを交換することが可能となるため、作動ユニット交換の際に外観も変化しない。
【０００９】
ここで、前記操作ユニットは、前記貯水タンク外側から前記取付孔に挿入され先端部を貯水タンク内へ突出した状態で配置されたフランジ付きのブッシュと、前記フランジとの間に前記壁体を挟持するため前記ブッシュの外周に形成された雄ねじ部に螺合されたナットと、その軸部を前記ブッシュ内に挿入した状態で前記フランジ側に配置された操作レバーと、を備えたものとすることが望ましい。このような構成とすれば、従来の貯水タンクの取付孔を変更することなく、操作ユニットを貯水タンクの壁体に確実に取り付けることができ、取付作業も容易である。
【００１０】
この場合、前記作動ユニットは、前記作動軸を前記操作レバーに連動させるための駆動軸と、前記駆動軸を包囲する軸受け部と、前記ブッシュ外周の雄ネジ部に螺合することにより前記軸受け部を前記ブッシュに連結するため前記軸受け部に回転可能に環装された袋ナットと、前記軸受け部からの前記袋ナットの脱落を防止するための袋ナット脱落防止部材と、を備えたものとすることが望ましい。ここで、環装とは、環状に取り付けることをいう。このような構成とすれば、袋ナットという簡素な部材で作動ユニットを操作ユニットに確実に取り付けることができ、着脱作業も容易である。
【００１１】
ここで、袋ナット脱落防止部材は容易に組立・分解できるように、前記軸受け部に螺合可能な単一のストッパで構成することも可能であるが、そうすると、袋ナットを締め付けるときの回転摩擦力がストッパに伝わり、ストッパが緩むおそれがある。
【００１２】
そこで、前記袋ナット脱落防止部材は、前記袋ナットの内側に係合し且つ前記軸受け部に対して回転不能に係止されるストッパと、前記ストッパの脱落を防止し且つ前記軸受け部と螺合可能な止めナットと、を備えたものとすることが望ましい。このような構成とすれば、袋ナットを締め付けるとき、袋ナットの回転摩擦力は前記軸受け部に対して回転不能に係止されたストッパによって遮断されるので、前記袋ナットは緩むことがなく、作動ユニットの取付状態を安定化することができる。
【００１３】
また、前記操作レバーの回転操作によって前記作動ユニットに加わる回転反力を前記ブッシュに伝達するため、前記軸受け部と前記ブッシュとを係合する係合手段を設けることもできる。このような構成とすれば、操作レバーの回転操作時に作動ユニットに加わる回転反力は、貯水タンクの壁体の取付孔に取り付けられたブッシュに伝達され、貯水タンク全体に分散されるため、前記回転反力が作動ユニットと操作ユニットとの連結部分などの特定箇所に集中するのを回避することができ、前記回転反力による部材の損傷を無くすことができる。
【００１４】
さらに、前記操作レバーの回転角度を一定角度に設定するための規制手段を前記操作レバーと前記ブッシュとの間に着脱可能に設けることもできる。このような構成とすれば、作動ユニットの交換により、操作ハンドルの操作角度が変化したような場合、規制手段の着脱によって対応することが可能となるため、汎用性が高まる。
【発明の効果】
【００１５】
本発明により、操作レバーの設計上の制約を緩和することができ、ユニット交換の際に外観が変化しない、排水弁駆動ユニットを提供することができる。
【発明を実施するための最良の形態】
【００１６】
以下、図面に基づいて、本発明の実施の形態について説明する。図１は本発明の実施の形態である排水弁駆動ユニットを組み込んだ貯水タンク内部を示す平面図、図２は図１におけるＡ−Ａ線断面図、図３は図１におけるＢ−Ｂ線断面図、図４は図３の一部拡大図、図５は図４に示す作動ユニットの分解斜視図、図６は図３に示す排水弁駆動ユニットから作動ユニットを取り外した状態を示す断面図、図７は図３に示す排水弁駆動ユニットから操作レバーを取り外した状態を示す断面図、図８は図７において矢印Ｃ方向から見た図、図９は図１に示す排水弁駆動ユニットを構成する操作レバーの斜視図である。
【００１７】
図１〜図３に示すように、本実施形態の排水弁駆動ユニット１０は、水洗便器（図示せず）へ供給するための洗浄水Ｗを貯留する貯水タンク１１に設置され、貯水タンク１１内に設けられた排水弁１２を開放するための作動軸１３と、後述する駆動軸１４および増速機構１５などを介して作動軸１３を回転駆動するため貯水タンク１１の側面に設けられた操作レバー１６と、を備えている。この排水弁駆動ユニット１０には、貯水タンク１１の壁体１１ａに開設された取付孔１１ｂに操作レバー１６を回転可能に保持した状態で取り付けられた操作ユニット１０Ｘと、操作レバー１６と連動する作動軸１３を有し貯水タンク１１内において操作ユニット１０Ｘに着脱可能に連結された作動ユニット１０Ｙと、が設けられている。
【００１８】
操作ユニット１０Ｘは、貯水タンク１１の外側から取付孔１１ｂに挿入され先端部を貯水タンク１１内へ突出した状態で配置されたフランジ２４ｂ付きのブッシュ２４と、フランジ２４ｂとの間に壁体１１ａを挟持するためブッシュ２４の外周に形成された雄ねじ部２４ａに螺合された六角ナット２８と、その筒状軸部１６ａをブッシュ２４内に挿入した状態でフランジ２４ｂ側に配置された操作レバー１６と、を備えている。
【００１９】
作動ユニット１０Ｙは、作動軸１３を操作レバー１６の筒状軸部１６ａに連動させるための駆動軸１４と、駆動軸１４を包囲する軸受け部１５ａと、ブッシュ２４外周の雄ネジ部２４ａに螺合することにより軸受け部１５ａをブッシュ２４に連結するため軸受け部１５ａに回転可能に環装された袋ナット２５と、袋ナット２５が軸受け部１５ａから脱落するのを防止するためのストッパ３０と、ストッパ３０を固定する止めナット２９と、を備えている。図４に示すように、袋ナット２５は、大口径部２５ａと小口径部２５ｂとを有している。また、図５に示すように、ストッパ３０は略円筒形状をしており、その一方の端部に鍔部３０ｂが設けられ、内周部にはリブ３０ａが設けられている。そして、軸受け部１５ａの外面には溝１５ｃが設けられ、ストッパ３０を軸受け部１５ａに装着したとき、リブ３０ａが溝１５ｃに嵌合されて軸受け部１５ａとストッパ３０とが相対的に回転しないように係止される。
【００２０】
また、軸受け部１５ａの外周面には雄ネジ部（図示せず）が形成されており、止めナット２９を、連結部１４ａ側から前記雄ネジ部に螺合させストッパ３０を増速機構１５側に移動するように押圧することによってストッパ３０が固定される。図４に示すように、ストッパ３０および止めナット２９は袋ナット２５の内側に収容された状態で軸受け部１５ａに装着されている。そして、袋ナット２５の小口径部２５ｂの連結部１４ａ側への移動がストッパ３０の鍔部３０ｂで規制されることにより、軸受け部１５ａからの袋ナット２５の脱落を防止している。袋ナット２５は、図４に示す状態から増速機構１５に当接するまでの範囲で移動可能となっている。また、ブッシュ２４内部への水浸入を防止するため、止めナット２９とブッシュ２４との間にはワッシャ３１およびパッキン３２が介在されている。
【００２１】
一方、操作レバー１６と作動軸１３との間には増速機構１５が配置され、この増速機構１５は、操作レバー１６の回転角度よりも作動軸１３の回転角度を増大させる機能を有している。作動軸１３の先端には、当該作動軸１３とともに回転するアーム２０が取り付けられ、アーム２０と排水弁１２とが玉鎖２１によって連係されている。排水弁１２は支軸２２を中心に起立・倒伏することによって排水口２３を開閉する。
【００２２】
図３，図４に示すように、排水弁駆動ユニット１０においては、増速機構１５に突設された軸受け部１５ａに対してブッシュ２４が係合され、軸受け部１５ａに環装された袋ナット２５をブッシュ２４外周の雄ネジ部２４ａに螺着させることによって、軸受け部１５ａとブッシュ２４とが着脱可能に接続されている。また、ブッシュ２４の先端側から差し込んだ操作レバー１６の筒状軸部１６ａが駆動軸１４の端部に着脱可能に係合され、筒状軸部１６ａ内に挿入した固定ネジ２６を駆動軸１４の端部に螺着することによって操作レバー１６と筒状軸部１６ａと駆動軸１４とが着脱可能に連結されている。
【００２３】
ブッシュ２４の操作レバー１６側の端部にはフランジ２４ｂが形成され、ブッシュ２４の雄ネジ部２４ａには傾斜ワッシャ２７が環装されるとともに六角ナット２８が螺合されている。また、増速機構１５の軸受け部１５ａ反対側には作動側歯車１８の回転軸１８ａが突設され、この回転軸１８ａに作動軸１３の基端部が着脱可能に連結されている。
【００２４】
排水弁駆動ユニット１０は、貯水タンク１１の側壁１１ａに開設された取付孔１１ｂに対し、貯水タンク１１外側からブッシュ２４の雄ネジ部２４ａを挿入し、貯水タンク１１の内側から雄ネジ部２４ａに傾斜ワッシャ２７を環装し、六角ナット２８を締め付け、フランジ２４ｂと六角ナット２８との間に側壁１１ａを狭持することによって固定されている。
【００２５】
図４，図５および図８に示すように、作動ユニット１０Ｙの軸受け部１５ａから突出する駆動軸１４の先端には四角柱状の連結部１４ａが突設され、連結部１４ａの先端面には軸心方向のネジ孔１４ｂが開設されている。また、図６，図９に示すように、操作レバー１６の筒状軸部１６ａ内の先端寄りの部分にはネジ孔１６ｃを有する隔壁１６ｂが設けられ、この隔壁１６ｂから先には駆動軸１４の連結部１４ａが嵌入可能な四角形の連結孔１６ｄが設けられている。従って、図３に示すように、操作レバー１６の筒状軸部１６ａの先端にある連結孔１６ｄ内に、駆動軸１４の連結部１４ａを嵌入し、操作レバー１６の筒状軸部１６ａの基端側から固定ネジ２６を差し込み、隔壁１６ｂのネジ孔１６ｃを貫通させ、駆動軸の連結部１４ａのネジ孔１４ｂに螺着すれば、操作レバー１６の筒状軸部１６ａと、駆動軸１４とが一体的に連結される。なお、固定ネジ２６を螺着した後、筒状軸部１６ａの基端開口は着脱可能な蓋１６ｆによって閉塞される。
【００２６】
また、図８に示すように、操作レバー１６の回転操作によって作動ユニット１０Ｙに加わる回転反力をブッシュ２４に伝達するために、軸受け部１５ａとブッシュ２４とを係合する係合手段として、軸受け部１５ａの先端の一部に軸心方向に突設された係止片１５ｂと、ブッシュ２４の内周面から軸心に向かって突設された二つの係止片２４ｃとを設けている。操作ユニット１０Ｘに作動ユニット１０Ｙを連結したとき、軸受け部１５ａの係止片１５ｂが、ブッシュ２４の内周面の二つの係止片２４ｃの間に狭持されるため、操作レバー１６の回転操作によって作動ユニット１０Ｙに加わる回転反力がブッシュ２４に伝達される。
【００２７】
さらに、排水弁駆動ユニット１０の操作レバー１６の回転角度を一定角度（本実施形態では４５度）に設定するための規制手段として、図８に示すように、ブッシュ２４の内周面に軸心方向に突出したストッパ２４ｄを設けるとともに、図９に示すように操作レバー１６の筒状軸部１６ａの外周にセグメント形状のアダプタ１６ｅを着脱可能に取り付けている。ブッシュ２４内に配置された筒状軸部１６ａは、その外周のアダプタ１６ｅがブッシュ２４の内周面のストッパ２４ｄに当接する位置まで回転可能である。
【００２８】
本実施形態の排水弁駆動ユニット１０は、貯水タンク１１の壁体１１ａの取付孔１１ｂに取り付けられた操作ユニット１０Ｘと、貯水タンク１１内において操作ユニット１０Ｘに取り付けられた作動ユニット１０Ｙとによって構成されている。このため、操作ユニット１０Ｘは操作レバー１６を回転可能に保持できれば良いものとなり、操作レバー１６の設計上の制約を大幅に緩和することができる。
【００２９】
また、操作ユニット１０Ｘは、貯水タンク１１の取付孔１１ｂを変更することなく、その壁体１１に確実に取り付けることができ、取付作業も容易である。この場合、袋ナット２５という簡素な部材で作動ユニット１０Ｙを操作ユニット１０Ｘに確実に取り付けることができ、着脱作業も容易である。
【００３０】
一方、袋ナット２５は止めナット２９およびストッパ３０により作動ユニット１０Ｙに係合されており、袋ナット２５を操作ユニット１０Ｘに螺合させる場合、袋ナット２５の回転摩擦力は、回転不能なストッパ３０により遮断されるため、止めナット２９が緩むことはない。
【００３１】
また、操作レバー１６の回転操作時に作動ユニット１０Ｙに加わる回転反力は、係止片１５ｂ，２４ｃを介して、貯水タンク１１の壁体１１ａの取付孔１１ｂに取り付けられたブッシュに伝達され、貯水タンク１１全体に分散されるため、前記回転反力が作動ユニット１０Ｙと操作ユニット１０Ｘとの連結部分などの特定箇所に集中するのを回避することができ、前記回転反力による部材の損傷を無くすことができる。
【００３２】
実際に排水弁駆動ユニット１０を貯水タンク１１に取り付ける場合は、分解して単独状態にあるブッシュ２４の雄ネジ部２４ａを貯水タンク１１の外側から取付孔１１ｂに差し込み、内側から雄ネジ部２４ａに傾斜ワッシャ２７を環装するとともに六角ナット２８を締め付けることによってブッシュ２４を側壁１１ａの取付孔１１ｂに固定する。そして、袋ナット２５を介して増速機構１５をブッシュ２４に連結した後、貯水タンク１１の外からブッシュ２４内に操作レバー１６の筒状軸部１６ａを差し込み、筒状軸部１６ａ内に挿入した固定ネジ２６を駆動軸１４の端部に螺着する。
【００３３】
増速機構１５は、操作レバー１６と連結された駆動軸１４と連動回転する駆動側歯車１７と、駆動側歯車１７と歯合した状態で作動軸１３に連設された作動側歯車１８とで構成され、作動側歯車１８の歯数は駆動側歯車１７の歯数より少なく設定されている。作動側歯車１８と駆動側歯車１７との歯数比は特に限定するものではないが、本実施形態では、この歯数比を１：２としているため、操作レバー１６を回転操作したとき、操作レバー１６の回転角度に対して作動軸１３はその２倍の角度回転することとなる。また、作動側歯車１８および駆動側歯車１７はいずれも平歯車を用いている。
【００３４】
また、手動操作により操作レバー１６に加えた回転力を解除したときに、操作レバー１６を元の姿勢に復帰させる自動復帰手段として、増速機構１５内に、操作レバー１６を復帰させる回転方向に駆動側歯車１７を付勢するコイルスプリング１９を設けている。待機状態において、操作レバー１６は水平姿勢を保っており、この操作レバー１６を押し下げる方向に回転させると、その回転が駆動軸１４および増速機構１５を介して作動軸１３に伝達される。そして、作動軸１３の先端に固定されたアーム２０が回転して玉鎖２１が引き上げられ、これによって排水弁１２が起立方向へ回転して排水口２３が開放され、貯水タンク１１内の洗浄水Ｗが水洗便器（図示せず）に向かって供給される。
【００３５】
アーム２０を回転させて玉鎖２１を引き上げることによって排水弁１２を開放するためには、アーム２０が固定されている作動軸１３を約９０度回転させる必要があるが、本実施形態では、作動軸１３と駆動軸１４との間に、２倍の増速機能を有する増速機構１５を設けているため、駆動軸１４を４５度回転させれば作動軸１３が９０度回転し、排水弁１２を開放することができる。従って、操作レバー１６の操作範囲を水平姿勢から垂下方向へ４５度回転させるだけで十分な洗浄水を供給可能となり、前記操作範囲を水平姿勢から垂下姿勢の範囲内に収めることができる。
【００３６】
本実施形態の排水弁駆動ユニット１０は、操作レバー１６を回転操作したとき、増速機構１５の働きにより、操作レバーの回転角度より大きな回転角度で作動軸を回転させることが可能となる。即ち、操作レバー１６を小さく回転操作するだけで作動軸は大きく回転し、従来通り、洗浄水の開放弁を開放することができるため、操作レバー１６の操作性は良好である。また、操作レバー１６が必要とする操作範囲（回転角度）を縮小することができるので、操作レバー１６に関する設計上の制約も軽減することができる。
【００３７】
このように、増速機構１５は極めてシンプルな構造であるため、占有スペースの増大を回避することができ、耐久性も良好である。また、駆動側歯車１７と作動側歯車１８との歯数比を変更することで増速比率を任意に設定することができるため、設計上の自由度も確保することができる。
【００３８】
また、増速機構１５内には、駆動側歯車１７を操作レバー１６の復帰方向に付勢するためのコイルスプリング１９を設けているため、操作レバー１６を回転操作した後、そのまま手を離すだけで操作レバー１６は元の位置（水平姿勢）に復帰するので、操作性に優れており、操作レバー１６の戻し忘れ（不完全復帰）などによる、洗浄水Ｗの漏出も防止することができる。
【００３９】
さらに、操作レバー１６の操作範囲を水平姿勢から垂下方向へ約４５度回転させるだけで排水弁１２を開放することもできるため、操作レバー１６に対して重力方向に軽く力を加えて少し回転させる、という人間の手にとって極めて容易な動きによって操作レバー１６を操作可能であり、操作性は極めて良好である。
【００４０】
次に、図１０〜図１２を参照して、その他の実施の形態について説明する。図１０はその他の実施の形態である排水弁駆動ユニットを示す一部省略断面図、図１１は図１０に示す排水弁駆動ユニットを構成する作動ユニットを示す一部省略断面図、図１２は図１０に示す排水弁駆動ユニットを構成する操作レバーの斜視図である。なお、図１０〜図１２において図１〜図９に示す符号と同じ符号を付している部分は前述した排水弁駆動ユニット１０の構成部分と同じ構造、機能を有する部分であるため説明を省略する。
【００４１】
本実施形態の排水弁駆動ユニット５０は、図１〜図９に示す排水弁駆動ユニット１０を構成する手動式の作動ユニット１０Ｙの代わりに電動式の作動ユニット１０Ｚを操作ユニット１０Ｘに取り付けたものである。通常、作動ユニット１０Ｚを構成する電動機構３５に内蔵されたモータ（図示せず）によって作動軸１３が回転するため、操作レバー３６を回転操作する必要はないが、停電などの緊急事態の際には、操作レバー３６を手動操作で回転させれば、貯水タンク１１内の開閉弁（図示せず）を開放することができる。
【００４２】
本実施形態の場合、電動機構３５内に増速機能は設けられていないため、操作レバー３６の回転角度と作動軸１３の回転角度とは同じである。従って、作動軸１３を９０度させるためには操作レバー３６を９０度回転させる必要がある。そこで、図１２に示す本実施形態の操作レバー３６は、図９で示した操作レバー１６の筒状軸部１６ａの外周に装着されていたアダプタ１６ｅを取り外した構造となっている。これにより、図９に示す操作レバー１６では４５度までに制限されていた回転角度が９０度まで回転可能となるため、作動軸１３を９０度まで回転させることができる。
【００４３】
このように、作動ユニット１０Ｙを作動ユニット１０Ｚに交換したことにより、操作レバー３６の操作角度を変化させる必要がある場合、角度規制手段であるアダプタ１６ｅ（図９参照）の着脱によって対応可能であるため、汎用性に優れている。
【００４４】
また、手動式の作動ユニット１０Ｙと電動式の作動ユニット１０Ｚとの間で交換を行う場合、操作ユニット１０Ｘはそのままで、作動ユニット１０Ｙ，１０Ｚのみを交換することができるため、作動ユニット交換の際に外観が変化しないという優れた特長がある。その他の部分の構造、機能などは前述した開閉弁駆動ユニット１０と同様である。
【産業上の利用可能性】
【００４５】
本発明の排水弁駆動ユニットは、一般住宅の水洗トイレあるいは公共施設の水洗トイレなどにおいて広く利用することができる。
【図面の簡単な説明】
【００４６】
【図１】本発明の実施の形態である排水弁駆動ユニットを組み込んだ貯水タンク内部を示す平面図である。
【図２】図１におけるＡ−Ａ線断面図である。
【図３】図１におけるＢ−Ｂ線断面図である。
【図４】図３に示す排水弁駆動ユニットを構成する作動ユニットの断面図である。
【図５】図４に示す作動ユニットの分解斜視図である。
【図６】図３に示す排水弁駆動ユニットから作動ユニットを取り外した状態を示す断面図である。
【図７】図３に示す排水弁駆動ユニットから操作レバーを取り外した状態を示す断面図である。
【図８】図７において矢印Ｃ方向から見た図である。
【図９】図１に示す排水弁駆動ユニットを構成する操作レバーの斜視図である。
【図１０】その他の実施形態である排水弁駆動ユニットを示す一部省略断面図である。
【図１１】図１０に示す排水弁駆動ユニットを構成する作動ユニットを示す一部省略断面図である。
【図１２】図１０に示す排水弁駆動ユニットを構成する操作レバーの斜視図である。
【符号の説明】
【００４７】
１０，５０  排水弁駆動ユニット
１０Ｘ  操作ユニット
１０Ｙ，１０Ｚ  作動ユニット
１１  貯水タンク
１１ａ  側壁
１１ｂ  取付孔
１１ｃ  上縁部
１２  排水弁
１３  作動軸
１４  駆動軸
１４ａ  連結部
１４ｂ，１６ｃ  ネジ孔
１５  増速機構
１５ａ  軸受け部
１５ｂ，２４ｃ  係止片
１６，３６  操作レバー
１６ａ  筒状軸部
１６ｂ  隔壁
１６ｄ  連結孔
１６ｅ  アダプタ
１６ｆ  蓋
１７  駆動側歯車
１８  作動側歯車
１８ａ  回転軸
１９  コイルスプリング
２０  アーム
２１  玉鎖
２２  支軸
２３  排水口
２４  ブッシュ
２４ａ  雄ネジ部
２４ｂ  フランジ
２５  袋ナット
２５ａ  大口径部
２５ｂ  小口径部
２６  固定ネジ
２７  傾斜ワッシャ
２８  六角ナット
２９  止めナット
３０，２４ｄ  ストッパ
３０ｂ  鍔部
３１  ワッシャ
３２  パッキン
３５  電動機構
Ｃ  矢印
Ｗ  洗浄水
【図１】
2007120260.tif 000003
【図２】
2007120260.tif 000004
【図３】
2007120260.tif 000005
【図４】
2007120260.tif 000006
【図５】
2007120260.tif 000007
【図６】
2007120260.tif 000008
【図７】
2007120260.tif 000009
【図８】
2007120260.tif 000010
【図９】
2007120260.tif 000011
【図１０】
2007120260.tif 000012
【図１１】
2007120260.tif 000013
【図１２】
2007120260.tif 000014